(57)【要約】      （修正有）【課題】複数の物質を含む薬物等の検査処理を短時間で、かつ正確に実行することが可能な分析装置を実現する。【解決手段】気化部１は加熱部１５Ａと１５Ｂの２つを有し、検査片１１の別箇の部分を別箇の温度で加熱する。加熱部１５Ａ、１５Ｂの上面加熱部１５１Ａと下面加熱部１５０Ａ、上面加熱部１５１Ｂと下面加熱部１５０Ｂとの間に検査片１１が挟み込まれる。加熱部１５Ａは第１温調器１６Ａにより一定温度Ａに加熱され、加熱部１５Ｂは温調器１６Ｂにより温度Ａとは異なる温度の一定温度Ｂに加熱される。検査片１１の加熱部１５Ａで加熱された部分からの気化成分が蒸気移送加熱配管１０Ａから合流後蒸気移送加熱配管１０に移送され、検査片１１の加熱部１５Ｂで加熱された部分からの気化成分が蒸気移送加熱配管１０Ｂから合流後蒸気移送加熱配管１０に移送され、イオン化部に移送される。【選択図】図２
2019002779.tif 000002
【特許請求の範囲】
【請求項１】
検査片を加熱し、この検査片に付着した物質を気化する気化部と、
上記気化部により気化された物質をイオン化するイオン化部と、
上記イオン化部で発生したイオンを分析する質量分析部と、
を備え、上記気化部は、上記検査片の複数の部分をそれぞれ異なる温度で加熱する加熱部を有することを特徴とする分析装置。
【請求項２】
請求項１に記載の分析装置において、
上記加熱部の温度を調節する温度調整部を、さらに備え、
上記加熱部は、上記検査片の一部を第１温度で加熱し、上記検査片に付着した物質を気化する第１加熱部と、上記検査片の他の一部を第２温度で加熱し、上記検査片に付着した物質を気化する第２加熱部とを有することを特徴とする分析装置。
【請求項３】
請求項２に記載の分析装置において、
上記第１加熱部により加熱され、気化された物質の蒸気を移送する第１移送配管と、
上記第２加熱部により加熱され、気化された物質の蒸気を移送する第２移送配管と、
上記第１移送配管から移送された上記物質の蒸気と、上記第２移送配管から移送された上記物質の蒸気とを上記イオン化部に移送する第３移送配管と、
をさらに備えることを特徴とする分析装置。
【請求項４】
請求項３に記載の分析装置において、
上記第１移送配管は、上記温度調整部により、上記第１温度で加熱され、上記第２移送配管は、上記温度調整部により、上記第２温度で加熱され、上記第３移送配管は、上記第１温度と上記第２温度との平均温度で加熱されることを特徴とする分析装置。
【請求項５】
請求項３に記載の分析装置において、
上記第１移送配管のみが上記第３移送配管と連通する状態とする第１設定と、上記第２移送配管のみが上記第３移送配管と連通する状態とする第２設定とを切り替える切替弁をさらに備え、上記切替弁は、上記第１設定から一定時間を経過した後に上記第２設定に切り替えることを特徴とする分析装置。
【請求項６】
請求項５に記載の分析装置において、
上記切替弁は、上記第１温度及び第２温度のうちの低い温度で加熱され気化された物質を移送する上記第１移送配管又は上記第２移送配管を、先に上記第３移送配管と連通させることを特徴とする分析装置。
【請求項７】
請求項２に記載の分析装置において、
上記第１加熱部及び上記第２加熱部のそれぞれは、上記検査片の上面と接する上面加熱部と、上記検査片の下面と接する下面加熱部とを有し、上記上面加熱部の上記検査片の上面と接する面に複数の空気取り込口が形成されていることを特徴とする分析装置。
【請求項８】
請求項７に記載の分析装置において、
上記第１加熱部及び上記第２加熱部のそれぞれの上面加熱部および上記下面加熱部は、側面が平面と曲面とからなる半月形状であり、上記第１加熱部の半月形状の上面加熱部及び下面加熱部の平面と、上記第２加熱部の半月形状の上面加熱部及び下面加熱部の平面とが互いに対向するように配置されることを特徴とする分析装置。
【請求項９】
請求項８に記載の分析装置において、
上記第１加熱部の半月形状の上面加熱部及び下面加熱部の平面と、上記第２加熱部の半月形状の上面加熱部及び下面加熱部の平面との間に断熱材が配置されることを特徴とする分析装置。
【請求項１０】
気化された物質をイオン化するイオン化部と、このイオン化部で発生したイオンを分析する質量分析部とを有する分析装置に用いられ、検査片を加熱し、この検査片に付着した物質を気化する気化装置であって、
上記検査片の複数の部分をそれぞれ異なる温度で加熱する加熱部を備えることを特徴とする気化装置。
【請求項１１】
請求項１０に記載の気化装置において、
上記加熱部の温度を調節する温度調整部を、さらに備え、
上記加熱部は、上記検査片の一部を第１温度で加熱し、上記検査片に付着した物質を気化する第１加熱部と、上記検査片の他の一部を第２温度で加熱し、上記検査片に付着した物質を気化する第２加熱部とを有することを特徴とする気化装置。
【請求項１２】
請求項１１に記載の気化装置において、
上記第１加熱部により加熱され、気化された物質の蒸気を移送する第１移送配管と、
上記第２加熱部により加熱され、気化された物質の蒸気を移送する第２移送配管と、
上記第１移送配管から移送された上記物質の蒸気と、上記第２移送配管から移送された上記物質の蒸気とを上記イオン化部に移送する第３移送配管と、
をさらに備え、上記第１移送配管は、上記温度調整部により、上記第１温度で加熱され、上記第２移送配管は、上記温度調整部により、上記第２温度で加熱され、上記第３移送配管は、上記第１温度と上記第２温度との平均温度で加熱されることを特徴とする気化装置。
【請求項１３】
請求項１２に記載の気化装置において、
上記第１移送配管のみが上記第３移送配管と連通する状態とする第１設定と、上記第２移送配管のみが上記第３移送配管と連通する状態とする第２設定とを切り替える切替弁をさらに備え、上記切替弁は、上記第１設定から一定時間を経過した後に上記第２設定に切り替えることを特徴とする気化装置。
【請求項１４】
請求項１１に記載の気化装置において、
上記第１加熱部及び上記第２加熱部のそれぞれは、上記検査片の上面と接する上面加熱部と、上記検査片の下面と接する下面加熱部とを有し、上記上面加熱部の上記検査片の上面と接する面に複数の空気取り込口が形成されていることを特徴とする気化装置。
【請求項１５】
請求項１４に記載の気化装置において、
上記第１加熱部及び上記第２加熱部のそれぞれの上面加熱部および上記下面加熱部は、側面が平面と曲面とからなる半月形状であり、上記第１加熱部の半月形状の上面加熱部及び下面加熱部の平面と、上記第２加熱部の半月形状の上面加熱部及び下面加熱部の平面とが、断熱材を介して互いに対向するように配置されることを特徴とする分析装置。
【発明の詳細な説明】
【技術分野】
【０００１】
本発明は、麻薬、覚醒剤、危険ドラッグ、毒物、爆発物等を探知し分析する分析装置に関する。
【背景技術】
【０００２】
麻薬、覚醒剤、危険ドラッグ、毒物、爆発物などを含む試料に対し、検査片を用いて拭き取り、２枚のヒータで加熱することにより気化させて、それらの蒸気を検出するトレース探知装置が知られている。
【０００３】
特許文献１に記載の技術においては、検査片から試料を気化するための、互いに対向して検査片を挟み込む吸引加熱板と対向加熱板とが記載されている。そして、吸引加熱板と対向加熱板との間隔を広い状態と狭い状態との２つの状態に設定でき、まず、広い状態として加熱速度を低くし、蒸気圧が高く、短時間で気化が終了する物質Ａを検出し、次に、狭い状態として加熱速度を上げて蒸気圧が低い物質Ｂを検出するように構成されている。
【０００４】
これにより、同一試料に蒸気圧が異なる種々の物質が含まれている検査対象物に対しても、それらを容易に検出することが可能となっている。
【０００５】
また、特許文献２に記載の技術においては、気化部に位置する試料採取材を加熱する加熱板の温度と、ガス流量とが段階的に上昇するように制御し、気化速度が速い物質と、遅い物質とを正確に測定可能なように構成されている。
【０００６】
また、特許文献３に記載の技術においては、検査試料を加熱する加熱部の加熱面と、検査試料の被加熱面との距離を変化させることで検査試料の温度を変化させ、検査試料の付着物質を気化させ、イオン化することにより危険物を探知するように構成されている。
【先行技術文献】
【特許文献】
【０００７】
【特許文献１】特許第３８００４２２号公報
【０００８】
【特許文献２】特開２０１６−１７３３３２号公報
【０００９】
【特許文献３】特開２００７−１３９５５１号公報
【発明の概要】
【発明が解決しようとする課題】
【００１０】
ところで、空港等の薬物検査等においては、速やかに、かつ正確に分析を実行する必要が有り、さらに、高速に分析処置が可能な分析装置が望まれる。
【００１１】
しかしながら、上述した公知技術においては、検査片等について、加熱部の温度を時間と共に変化させて、蒸気圧が互いに異なる物質を気化させているため、蒸気圧が高い物質に対する温度に上昇した後に、その温度を一定時間維持し、その後、蒸気圧が低い物質に対する温度に上昇した後に、その温度を一定時間維持する必要が有り、温度制御が困難であるとともに、温度上昇時間及び温度保持時間が必要であった。
【００１２】
このため、複数の物質を含む薬物等の検査処理を、短時間で、かつ正確に実行することが困難であった。
【００１３】
本発明の目的は、複数の物質を含む薬物等の検査処理を短時間で、かつ正確に実行することが可能な分析装置及び気化装置を実現することである。
【課題を解決するための手段】
【００１４】
上記目的を達成するため、本発明は次のように構成される。
【００１５】
分析装置において、検査片を加熱し、この検査片に付着した物質を気化する気化部と、この気化部により気化された物質をイオン化するイオン化部と、このイオン化部で発生したイオンを分析する質量分析部と、を備え、上記気化部は、上記検査片の複数の部分をそれぞれ異なる温度で加熱する加熱部を有する。
【００１６】
気化された物質をイオン化するイオン化部と、このイオン化部で発生したイオンを分析する質量分析部とを有する分析装置に用いられ、検査片を加熱し、この検査片に付着した物質を気化する気化装置であって、上記検査片の複数の部分をそれぞれ異なる温度で加熱する加熱部を備える。
【発明の効果】
【００１７】
複数の物質を含む薬物等の検査処理を、短時間で、かつ正確に実行することが可能な分析装置及び気化装置を実現することができる。
【図面の簡単な説明】
【００１８】
【図１】本発明の実施例１に係る分析装置の全体概略構成図である。
【図２】本発明の実施例１における気化部の構成図である。
【図３】本発明の実施例１における動作フローチャートである。
【図４】本発明の実施例２における気化部の構成図である。
【図５】本発明の実施例２における動作フローチャートである。
【図６（ａ）】本発明の実施例３における加熱器の概略正面図である。
【図６（ｂ）】本発明の実施例３における加熱器の概略斜視図である。
【図７】本発明の実施例４における加熱器の概略上面図である。
【発明を実施するための形態】
【００１９】
以下、添付図面を参照して本発明の実施形態について説明する。
【実施例】
【００２０】
（実施例１）
図１は、本発明の実施例１に係る分析装置の全体概略構成図であり、本発明を薬物探知装置に適用した場合の例である。
【００２１】
図１において、セルロース等の布からなる検査片１１によって検査試料が拭き取られ、検査試料が付着した検査片１１が、手動又は自動で、気化部１の開口１Ａから気化部１の内部に挿入される。
【００２２】
気化部１の内部には、加熱部１５Ａ（第１加熱部）と、加熱部１５Ｂ（第２加熱部）とが配置され、検査片１１は、加熱部１５Ａ及び加熱部１５Ｂにより、加熱される。図１においては、気化部１は簡略化して記載しており、詳細な説明は、図２を参照して後述する。
【００２３】
加熱部１５Ａ及び加熱部１５Ｂは、演算部６により制御される温調器（温度調整部）１６により温度調節される。検査片１１に付着した試料は蒸発し、大気との混合ガスとなって、吸引ポンプ４により合流後蒸気移送加熱配管１０、三方バルブ１２を介して、イオン化部２に導かれる。混合ガスの流量は、吸引ポンプ４の吸引量をコントロールするマスフローコントローラ１３によって調節される。
【００２４】
イオン化部２に導かれた試料蒸気は、イオン化され、そのイオンが質量分析部３で質量分析され、スペクトルとして検出される。質量分析部３は真空ポンプ５により適切な圧力に保たれている。
【００２５】
分析装置全体の動作は、制御部６によって制御され、検査試料の信号強度や濃度は、演算処理部７によって計算される。また、分析装置の起動、停止、測定条件のインプットは、画像表示部８に表示された内容に従って行われる。
【００２６】
また、画像表示部８は、信号強度、スペクトル、濃度、探知結果を表示する。パスワード設定をして探知結果のみを表示することも可能である。過剰に高濃度な試料が導入された場合は、三方バルブ１２の流路を吸引ポンプ４側に切り替え、マスフローコントローラ１８で流量を調節して排気を行うと同時に、画像表示部８でアラーム表示を行い、音声報知部９でアラーム音が発生されるようにもできる。
【００２７】
測定終了後は、検査片１１は、気化部１から取り出される。
【００２８】
イオン化部２では、極性の切り替えを行って、測定対象化合物の測定に好適な極性のイオン化でイオンを測定する。正イオンと負イオンとの極性を切り替えながら、同時に両方の極性のイオンを測定することもできる。
【００２９】
質量分析部３は、四重極イオントラップ（ＱＩＴ）、リニアイオントラップ（ＬＩＴ）、飛行時間型（ＴＯＦ）等が用いられる。質量分析部３は真空ポンプ５によって、１．０×１０−３〜１．０Ｐａ程度の真空度に保たれる。また、質量分析部３には、ヘリウム等の不活性ガスが補助ガス１７として導入される。
【００３０】
図２は、気化部１の内部説明図である。
【００３１】
図２において、検査片１１の加熱部は、加熱部１５Ａと１５Ｂの２つを有し、検査片１１の別箇の部分を別箇の温度で加熱する。加熱部１５Ａは、上面加熱部１５１Ａと下面加熱部１５０Ａとを有し、上面加熱部１５１Ａと下面加熱部１５０Ａは互いに分離し、両者の間に検査片１１が挟み込まれる。
【００３２】
加熱部１５Ｂも、加熱部１５Ａと同様に、上面加熱部１５１Ｂと下面加熱部１５０Ｂとを有し、上面加熱部１５１Ｂと下面加熱部１５０Ｂは互いに分離し、両者の間に検査片１１が挟み込まれる。
【００３３】
図示した例では、加熱部１５Ａ、１５Ｂは、共にブロックヒータとするが、他のヒータでもよく、加熱部１５Ａ、１５Ｂが互いに異なる種類のヒータであってもよい、
加熱部１５Ａ、１５Ｂの下面加熱部１５０Ａ及び１５０Ｂは、検査片１１が挿入される前は、図示した位置より下方向（上面加熱部１５１Ａ、１５１Ｂから遠ざかる方向）に移動している。検査片１１が気化部１内に挿入され、上面加熱部１５１Ａ、１５１Ｂの下面の位置まで移動されると、下面加熱部１５０Ａ及び１５０Ｂが上方向（上面加熱部１５１Ａ、１５１Ｂに接近する方向）に移動し、検査片１１の上面が上面加熱部１５１Ａ及び１５１Ｂの下面と接し、検査片１１の下面が下面加熱部１５０Ａ及び１５０Ｂの上面と接するように挟み込む。
【００３４】
加熱部１５Ａは温調器１６の第１温調器１６Ａにより、所定の一定温度Ａ（第１温度、例えば、１５０°Ｃ）に加熱される。また、加熱部１５Ｂは温調器１６の第２温調器１６Ｂにより、温度Ａとは異なる温度である所定の一定温度Ｂ（第２温度、例えば、２５０°Ｃ）に加熱される。
【００３５】
加熱部１５Ａの下面加熱部１５０Ａは略円盤形状であり、上面加熱部１５１Ａは中央部が突出した円筒形状となっている。また、加熱部１５Ｂの下面加熱部１５０Ｂは略円盤形状であり、上面加熱部１５１Ｂは中央部が突出した円筒形状となっている。
【００３６】
加熱部１５Ａの上面加熱部１５１Ａの中央部は、蒸気移送加熱配管１０Ａ（第１移送配管）と接続され、加熱部１５Ｂの上面加熱部１５１Ｂの中央部は、蒸気移送加熱配管１０Ｂ（第２移送配管）と接続されている。そして、蒸気移送加熱配管１０Ａ及び１０Ｂは、共に合流後蒸気移送配管１０（第３移送配管）に接続される。
【００３７】
検査片１１の加熱部１５Ａにより加熱された部分から気化した成分が、蒸気移送加熱配管１０Ａから合流後蒸気移送加熱配管１０に移送され、検査片１１の加熱部１５Ｂにより加熱された部分から気化した成分が、蒸気移送加熱配管１０Ｂから合流後蒸気移送加熱配管１０に移送される。そして、蒸気移送加熱配管１０Ａから移送された成分と蒸気移送加熱配管１０Ｂから移送された成分とが合流蒸気移送加熱配管１０で合流され、イオン化部２に移送される。
【００３８】
蒸気移送加熱配管１０Ａは、温調器１６Ａにより、加熱部１５Ａと同等の温度となるように加熱され、蒸気移送加熱配管１０Ｂは、温調器１６Ａにより、加熱部１５Ｂと同等の温度となるように加熱される。
【００３９】
ただし、蒸気移送加熱配管１０Ａを加熱部１５Ａと異なる温度となるように加熱し、蒸気移送加熱配管１０Ｂを加熱部１５Ｂと異なる温度となるように加熱することも可能であるが、蒸気移送加熱配管１０Ａと蒸気移送加熱配管１０Ｂとは互いに異なる温度となるように加熱する。
【００４０】
合流後蒸気移送加熱配管１０は、温調器１６により、蒸気移送加熱配管１０Ａの加熱温度と蒸気移送加熱配管１０Ｂの加熱温度との平均温度に加熱される。
【００４１】
図３は、本発明の実施例１における動作フローチャートである。
【００４２】
図３のステップＳ１において、検査試料である検査片１１が気化部１に導入され、加熱部１５Ａ及び１５Ｂに挟み込まれる。
【００４３】
次に、ステップＳ２において、温調器１６Ａにより、気化部１５Ａを温度Ａに設定し、検査片１１の一部を加熱すると同時に、温調器１６Ｂにより、気化部１５Ｂを温度Ｂに設定し、検査片１１の他の一部を加熱し、検査片１１に付着した物質が気化するようにする。この場合、気化部１５Ａ、１５Ｂは、検査片１１が気化部１に導入される前から温度Ａ、温度Ｂに加熱していてもよいし、検査片１１が気化部１に導入された直後又は加熱部１５Ａ及び１５Ｂに挟み込まれてから温度Ａ、温度Ｂに加熱してもよい。
【００４４】
次に、ステップＳ３において、蒸気移送加熱配管１０Ａ及び１０Ｂから合流後蒸気移送加熱配管１０を介して、検査片１１から気化した蒸気がイオン化部２に移送される。
【００４５】
そして、ステップＳ４において、イオン化部２で、検査片１１から気化した蒸気がイオン化される。イオン化部２においては、極性の切り替えを行って、又は測定対象化合物の測定に好適な極性のイオン化でイオンを測定する。
【００４６】
次に、質量分析部３でイオンの質量数ごとに信号強度が測定され、測定対象物の信号強度が測定される（ステップＳ５〜Ｓ７）。
【００４７】
そして、測定対象物の信号強度を、演算処理部７に保存されたデータベースを利用して演算し、測定対象物質の定性及び定量や測定物質の探知が実行される（ステップＳ８〜Ｓ１０）。
【００４８】
本発明の実施例１においては、気化部１にて、２つの加熱部１５Ａ及び１５Ｂにより、検査片１１の２つの部分（複数の部分）を互いに異なる一定温度（例えば、１５０°Ｃと２５０°Ｃ）で、ほぼ同時に加熱し、発生した蒸気をイオン化部２に移送するように構成したので、温度制御が容易であると共に、蒸気圧が高い物質の気化と、蒸気圧が低い物質の気化とを短期間で併せて実行できるように構成されている。
【００４９】
従って、本発明の実施例１によれば、複数の物質を含む薬物等の検査処理を短時間で、かつ正確に実行することが可能な分析装置を実現することができる。
【００５０】
（実施例２）
次に、本発明の実施例２について説明する。
【００５１】
図４は本発明の実施例２における気化部２の構成図であり、図５は本発明の実施例２における動作フローチャートである。
【００５２】
本発明の実施例１と実施例２との相違点は、実施例２においては、蒸気移送加熱配管１０Ａ及び１０Ｂの合流後蒸気移送配管１０との接続箇所に切替弁１９が配置されている点である。切替弁１９は制御部６により動作制御される。
【００５３】
他の構成は、実施例１と実施例２とは、同様となっているので、それらの図示及び詳細な説明は省略する。
【００５４】
次に、本発明の実施例２の動作について説明する。
【００５５】
図５のステップＳ１において、検査試料である検査片１１が気化部１に導入され、加熱部１５Ａ及び１５Ｂに挟み込まれる。
【００５６】
次に、ステップＳ２において、温調器１６Ａにより、気化部１５Ａを温度Ａに設定し、検査片１１の一部を加熱すると同時に、温調器１６Ｂにより、気化部１５Ｂを温度Ｂに設定し、検査片１１の他の一部を加熱し、検査片１１に付着した物質が気化するようにする。
【００５７】
ステップＳ３Ａにおいて、蒸気移送加熱配管１０Ａのみが合流後蒸気移送配管１０と連通するように切替弁１９を設定する。これによって、検査片１１の加熱部１５Ａの加熱温度により加熱された検査片１１からの蒸気が合流後蒸気移送配管１０を介してイオン化部２に移送され、イオン化される（ステップＳ４）。
【００５８】
そして、ステップＳ４Ａにて、制御部６は一定時間経過したか否かを判断する。この一定時間とは、検出する物質に応じて任意に設定可能である。
【００５９】
ステップＳ４Ａにおいて、一定時間が経過すると、ステップＳ４Ｂに進み、蒸気移送加熱配管１０Ｂのみが合流後蒸気移送配管１０と連通するように切替弁１９を設定する。これによって、検査片１１の加熱部１５Ｂの加熱温度により加熱された検査片１１からの蒸気が合流後蒸気移送配管１０を介してイオン化部２に移送され、イオン化される（ステップＳ４Ｃ）。
【００６０】
以降のステップＳ５〜Ｓ１０は、実施例１と同様であるので、詳細な説明は省略する。
【００６１】
本発明の実施例２によれば、実施例１と同様な効果が得られる他、測定した物質について信号強度が大となる時間を考慮することができ、より高速に、かつ正確に検査処理を行うことができる。
【００６２】
なお、加熱部１５Ａ、１５Ｂの内、加熱温度が高い方の蒸気移送加熱配管１０Ａ又は１０Ｂを、先に合流後蒸気移送加熱配管１０に接続してもよいし、加熱温度が低い方の蒸気移送加熱配管１０Ａ又は１０Ｂを、先に合流後蒸気移送加熱配管１０に接続してもよい。
【００６３】
また、切替弁１９は、蒸気移送加熱配管１０Ａのみが合流後蒸気移送配管１０と連通する状態となるような第１設定と、蒸気移送加熱配管１０Ｂのみが合流後蒸気移送配管１０と連通する状態となるような第２設定に加えて、蒸気移送加熱配管１０Ａ及び蒸気移送加熱配管１０Ｂが共に合流後蒸気移送配管１０と連通する状態となるような設定も可能となるように構成することもできる。
【００６４】
（実施例３）
次に、本発明の実施例３について説明する。
【００６５】
図６（a）は、本発明の実施例３の要部である加熱部１５Ａの概略正面図である。図６（ｂ）は、本発明の実施例３の要部である加熱部１５Ａの概略斜視図である。
【００６６】
図６（a）および図６（ｂ）の（Ａ）は、加熱部１５Ａの上面加熱部１５１Ａであり、図６の（Ｃ）は、加熱部１５Ａの下面加熱部１５０Ａである。
【００６７】
図６（a）の（Ｂ）は、上面加熱部１５１Ａと下面加熱部１５０Ａとの間に挟まれる検査片１１である。
【００６８】
図６（ｂ）の（Ａ）に示すように、上面加熱部１５１Ａの上面中央部は上方向に突出した円筒部１５２Ａが形成されている。そして、上面加熱部１５１Ａの下方側の周囲に複数の空気取り込み口１５３が形成されている。検査片１１から発生した蒸気は、複数の空気取り込み口１５３から円筒部１５２Ａに収集され、円筒部１５２Ａから蒸気移送加熱配管１０Ａ及び合流後蒸気移送加熱配管１０を介してイオン化部２に移送される。
【００６９】
図６（a）および図６（ｂ）の（Ｃ）に示すように、下面加熱部１５０Ａの上面部（検査片１１と接触する面）は平面状となっている。
【００７０】
加熱部１５Ｂも、加熱部１５Ａと同様な形状となっているため、図示および詳細な説明は省略する。
【００７１】
実施例３において、加熱部１５Ａ及び１５Ｂ以外の構成は、実施例１又は実施例２と同様であるので、図示及び詳細な説明は省略する。
【００７２】
本発明の実施例３によれば、実施例１又は実施例２と同様な効果を得ることができる他、加熱部１５Ａ及び１５Ｂの上面加熱部１５１Ａ及び１５１Ｂの下方側の周囲に複数の空気取り込み口１５３が形成されているので、検査片１１からの蒸気を速やかに取り込むことができ、検査処理を、より短時間で、実行することが可能となる。
【００７３】
（実施例４）
次に、本発明の実施例４について説明する。
【００７４】
図７の（Ａ）は、本発明の実施例４の要部である加熱部１５Ａ、１５Ｂの上面図（上面加熱部１５１Ａ、１５１Ｂの上面図）であり、図７の（Ｂ）は、本発明の実施例４の変形例を示す上面図である。
【００７５】
図７の（Ａ）に示すように、加熱部１５Ａ、１５Ｂは上方から見て半月形状であり、上面の中央部付近に上方向に突出した円筒部１５２Ａ、１５２Ｂが形成されている。この半月形状は、側面が、平面と曲面とからなる形状である。
【００７６】
加熱部１５Ａ、１５Ｂの下面加熱部１５０Ａ、１５０Ｂも、上面加熱部１５１Ａ、１５１Ｂと同様な半月形状となっている。
【００７７】
加熱部１５Ａ、１５Ｂの下面加熱部１５０Ａ、１５０Ｂの上面に位置する検査片１１から発生した蒸気は、円筒部１５２Ａ、１５２Ｂに収集され、円筒部１５２Ａ、１５２Ｂから蒸気移送加熱配管１０Ａ、１０Ｂ及び合流後蒸気移送加熱配管１０を介してイオン化部２に移送される。
【００７８】
加熱部１５Ａ、１５Ｂを側面に平面部を有する半月形状とし、加熱部１５Ａの半月形状の上面加熱部１５１Ａ及び下面加熱部１５０Ａの平面と、加熱部１５Ｂの半月形状の上面加熱部１５１Ｂ及び下面加熱部１５０Ｂの平面とが互いに対向するように配置することにより、加熱部１５Ａと１５Ｂとを接近させることができ、加熱部全体としてコンパクト化することができる。
【００７９】
ただし、加熱部１５Ａと１５Ｂとは異なる温度で加熱されることから、加熱部１５Ａと１５Ｂとの接近距離には限界がある。
【００８０】
そこで、図７の（Ｂ）に示すように、加熱部１５Ａと１５Ｂとの間に、断熱材２０を挿入し配置することにより、加熱部１５Ａと１５Ｂとの距離をさらに小とすることができ、加熱部全体としてよりコンパクト化することができる。
【００８１】
断熱材２０としては、グラスウール等の耐熱性がある繊維系の断熱材を使用することができる。
【００８２】
なお、上面加熱部１５１Ａ、１５１Ｂの下方側には、図６に示した複数の空気取り込み口１５３を形成することができる。
【００８３】
実施例４において、加熱部１５Ａ及び１５Ｂ以外の構成は、実施例１又は実施例２と同様であるので、図示及び詳細な説明は省略する。
【００８４】
本発明の実施例４によれば、実施例１又は実施例２と同様な効果を得ることができる他、加熱部１５Ａ及び１５Ｂを半月形状としたので、加熱部１５Ａ及び１５Ｂの互いの距離を小として、加熱部全体としてよりコンパクト化することができる。
【００８５】
加熱部１５Ａと１５Ｂとの間に、断熱材２０を挿入することにより、加熱部１５Ａ及び１５Ｂの互いの距離をさらに小とすることができる。
【００８６】
（実施例５）
上述した実施例は、気化部２を含む分析装置であるが、本発明は、気化部２を単体とする気化装置としても成立する。
【００８７】
従って、上述した実施例１〜４における分析装置の気化部２を気化装置とする例が実施例５である。
【００８８】
なお、上述した例においては、イオン化部２は、極性切り替え機能付きとしたが、極性切り替え機能がないイオン化部にも本発明は応用可能である。
【００８９】
また、本発明は、薬物のみならず、爆発物、毒物を探知する探知装置や分析装置にも適用可能である。
【００９０】
また、上述した実施例では、気化部１にて、２つの異なる温度で加熱する加熱部１５Ａ、１５Ｂを備えるように構成したが、３つ以上の異なる温度で加熱する３つ以上の加熱部で構成することも可能である。このように構成すれば、検査片の３つ以上の複数の部分から、多種類の物質を高精度に探知することができる。
【００９１】
薬物のトレース探知装置において、本発明のように、試料の気化温度や分解性を考慮した温度条件により、２つの異なる温度により気化させる機構を付与することにより、１枚の検査片から１回の探知操作により、複数の薬物を探知することができる。特に、極性切替機能を有する探知装置では、正イオンまたは負イオンになりやすい物質の気化温度や分解性に大いに差があるため、１回の探知操作で異なる極性のイオンを探知することができる。単極性でも物質によって気化温度や分解性に差がある場合があり、複数物質の探知に効果が期待できる。
【００９２】
また、高いスループットと分析信頼性によって麻薬、覚醒剤および危険ドラッグなどの薬物の測定が可能であるため、多検体の高速処理の用途にも適用できる。例えば、税関、空港などの密輸防止などの検査サイトや研究所で使用することができる。
【符号の説明】
【００９３】
１・・・検査片、  １Ａ・・・開口、  ２・・・イオン化部、  ３・・・質量分析部、  ４・・・吸引ポンプ、  ５・・・真空ポンプ、  ６・・・制御部、  ７・・・演算処理部、  ８・・・画像処理部、  ９・・・音声報知部、  １０・・・合流後蒸気移送加熱配管、  １０Ａ、１０Ｂ・・・蒸気移送加熱配管、  １１・・・検査片、  １２・・・三方バルブ、  １３、１８・・・マスフローコントローラ、  １４・・・ストップバルブ、  １５Ａ、１５Ｂ・・・加熱部、  １６、１６Ａ、１６Ｂ・・・温調器（温度調整部）、  １７・・・補助ガス、  １９・・・切替弁、  ２０・・・断熱材、  １５０Ａ、１５０Ｂ・・・下面加熱部、１５１Ａ、１５１Ｂ・・・上面加熱部、  １５２Ａ、１５２Ｂ・・・円筒部、  １５３・・・空気取り込み口
【図１】
2019002779.tif 000003
【図２】
2019002779.tif 000004
【図３】
2019002779.tif 000005
【図４】
2019002779.tif 000006
【図５】
2019002779.tif 000007
【図６（ａ）】
2019002779.tif 000008
【図６（ｂ）】
2019002779.tif 000009
【図７】
2019002779.tif 000010